(57)【要約】【課題】  建築物外壁に形成する外掛け式の植物栽培可能な立体循環植物栽培システム。【解決手段】  建築物屋上層の該壁面に延長して突出させた一対の片持ち梁１の間にモーター４で駆動されるスプロケット５を設けて、立体栽培バスケットを懸架したチェーン７を建築物外壁面の下層の水槽13に該バスケットが浸漬するように配置し、日照調節装置及び該モーターによる潅水などを制御するプログラマブル制御装置又は手動操作により行わしめ、また、建物側には各階に栽培作業用の平台ステップ16及び作業時には上方に反転して作業スペースを開放する手摺15を設ける。【選択図】図３
2005261352.tif 000002
【特許請求の範囲】
【請求項１】
片持ち梁、伝動装置、栽培ユニット、水槽ユニット、日照調節装置及び水分と養分供給のためのプログラマブルコントロール装置、鎧戸状手摺、平台ステップ、下向き反転型手摺などの組み立て部材により鉄骨建築物外壁に設置される垂直立体機械回転昇降式植物栽培システムであり、その構成は、
（１）建築物の鉄骨構造の各階層の片持ち梁部分を外方に延長して適切な長さで張り出し、またその片持ち梁上に孔を設け、以下の栽培ユニット取付け固定箇所とする、
（２）鉄骨建築物屋上部の二本の片持ち梁間に伝動軸を設け、その伝動軸の一端に駆動モーターを設置し、またその伝動軸にはそれぞれ上部左側スプロケットホイール機構、上部右側スプロケットホイール機構を装着すると共に、
鉄骨建築物底層部には下部左側スプロケットホイール機構、下部右側スプロケットホイール機構を配置し、また、チェーンによって前述の上部左側スプロケットホイール機構と下部左側スプロケットホイール機構、上部右側スプロケットホイール機構と下部右側スプロケットホイール機構を個別に連結して閉じた循環式駆動システムを構成し、また、前述の上下チェーン間に於いて一定間隔毎に立体栽培バスケットを懸架し、前述の駆動モーターにより前述の伝動軸を駆動してスプロケットホイール機構を連動させ、上下チェーン間に懸架した立体栽培バスケットに上下循環運転をおこなわせる構成とし、
また建築物各階層の片持ち梁外側にはネジによって固定されたガイドレールをそれぞれ設けて、前述の上部左側スプロケットホイール機構、下部左側スプロケットホイール機構及び上部右側スプロケットホイール機構、下部右側スプロケットホイール機構を個別に連結したチェーンをその内側に収容して立体栽培システムを揺動させずに安定した軌道運行をさせるようにし、
（３）鉄骨建築物の底層には剛性の部材であって、ネジにより建築物底層部の地面、或いは壁面に固定され、前述の下部左側スプロケットホイール機構と下部右側スプロケットホイール機構を安定固定させる固定アンカーを設置し、
建築物底層の前述の立体栽培バスケット、下部左側スプロケットホイール機構、及び下部右側スプロケットホイール機構の対応部位に水槽を設置し、
これによって各立体栽培バスケットが前述のスプロケットホイール機構により循環運動して一定時間間隔毎に培養液の水槽へ循環浸漬され、植物の栽培に充分な水分と養分を供給されて植物の生長を促進させるようにし、
前述の立体栽培バスケットの運転起動及び停止時間、運転速度、運転及び散水の回数などについて自動制御するプログラマブルコントロール自動制御と手動制御の二方式を選択可能とし、
（４）鉄骨建築物屋上層に鎧戸状手すりを設置し、及び必要により鎧戸状手摺内側に使用者を安全に前述の立体栽培バスケットに接近できるように平台ステップを設置し、また、鉄骨建築物の底層には上下二層から成り、上下１８０度反転して手摺高さを下げることができる可動式の手摺を設置してなる、
ことを特徴とする鉄骨建築物に結合してなる垂直立体機械回転昇降式植物栽培システム。
【発明の詳細な説明】
【技術分野】
【０００１】
本発明の垂直立体機械回転昇降式植物栽培システムの施工作業方法、つまり鉄骨建築物に結合した形式の垂直立体機械回転昇降式植物栽培システムの施工作業方法は、施工建築物の鉄骨構造の結合時に事前に装置された張出し片持ち梁上に植物栽培装置を付設固定して、建築物外側壁面に大型で、外掛け式、循環性の植物栽培システムを構成することにより、耕作面積を拡大すると共に植物の生長を促進でき、食用植物栽培時に於いては、栽培システムに対応する建築物屋上の凹凸壁及び底部に設置された手動及び自動制御装置プログラマブルコントロールと、栽培システムに対応する屋上層凹凸壁の内側に設置された平台ステップにより、植物の採摘及び栽培を容易なものにする。又、建築物底部の植物栽培システム内側には手すりが設置されており使用者の操作の安全性を保障する。
【背景技術】
【０００２】
一般によく見られる植物栽培用空間はその殆どが温室内部、或いは建築物屋上や外壁に設けられており、その中でも温室は通常農業もしくは園芸用途であり、また建築物屋上や外壁に植物を栽培する場合に於いては、一般に景観の緑化や断熱が主たる目的であり、それらの植物は食用を主たる目的としておらず、稀に屋上菜園目的のものも存在するが、その殆どが食用としての植物を栽培、採取することが困難であり、また耕作面積も限られており、住宅建築物住民の食用植物の需要が満たされていないのが現状である。
【特許文献１】２００４−４１１８４号公報
【発明の開示】
【発明が解決しようとする課題】
【０００３】
鉄骨建築物の外壁面を利用して、十分な耕作面積を確保し、省力・省エネルギーにより食用植物の栽培を効率よく行うことのできる、鉄骨建築物結合の垂直立体機械回転昇降式植物栽培システムの構築。
【課題を解決するための手段】
【０００４】
上述の問題点について、本発明者の真摯な検討と研究の結果、以前発明者の既に登録済み実用新案登録第３０８３３１９号の「垂直立体機械回転昇降式栽培塔」に新たに鉄骨建築物の鉄骨構造の改良を加えることにより、植物栽培装置を建築物の外壁に掛けることが可能になり、本発明ではこれを鉄骨建築物結合の垂直立体機械回転昇降式植物栽培システムとして完成した。
鉄骨建築物結合の垂直立体機械回転昇降式植物栽培システムとは、片持ち梁、伝動装置、栽培ユ二ット、水槽ユ二ット、鎧戸状手すり、平台ステップ、手すり等の各部材からなり、鉄骨建築物外壁に設置される垂直立体機械回転昇降式の植物栽培システムで、その構成は以下のとおりである：
（１）建築物の鉄骨構造施工時に、各階廊のはり部分を外に伸びる適切な長さで張り出しておき、その事前に張り出した片持ち梁上に孔部を設け栽培ユ二ット設置時の固定位置とし；
（２）鉄骨建築物屋上層に駆動モーター、伝動装置を設置し、またそれを前述の片持ち梁とチェーンで連結し立体栽培バスケットを建築物外壁に固定、駆動モーターの作動により伝動軸及び伝動チェーンのユ二ットを循環駆動させる、鉄骨建築物外壁に立体、循環式の植物栽培循環装置が構成され；
（３）建築物底層の栽培ユニットに対応する部位に水槽を設置し、栽培ユニットの各栽培バスケットはユニットの操作によって制御され、毎一定時間水槽へ循環浸水させ、栽培植物に充分な水分と養分の提供を可能にし、植物を効率良くの生長を促進させる。
本発明者の登録済み実用新案登録第３０８３３１９号の「垂直立体機械回転昇降式栽培塔」について、前述の各ユニットをより効率良く運用させる為、本発明では新たに日照調節及び水分と養分供給を行う制御器プログラマブルコントロール装置を設け、そのプログラマブルコントローラは自動制御での植物栽培の運転始動及び停止、運転速度、運転と散水の回数を操作でき、また選択により手動方式での植物栽培バスケットの運転始動及び停止時間、運転速度の制御も可能である。
【発明の効果】
【０００５】
本発明の鉄骨建築物に結合した垂直立体機械回転昇降式植物栽培システムは鉄骨建築物の外壁に装置される外掛け式の植物栽培システムのため、前述した鉄骨建築物屋上層の凹凸壁及び底層部位に手動と自動的制手段としてプログラマブルコントローラを設置し、また、屋上層の凹凸壁内側に平台ステップを設置して使用者の植物栽培及び採摘の作業を便利で容易なものにする。又、建築物底層に対応する栽培システムの内側に手すりを設置し操作の安全性を強化する。
【０００６】
前述の平台ステップに類似した階段状の平台を建築物屋上層に設置し建築物底層に対応する栽培システム内側に設置された前述の手すりは、使用者が立体栽培ユニットの接近した作業を容易にし、その手すりは二層式、可動式で建築物の底層に設置され、平時には安全な高さに固定されており、使用者が種蒔き、土の入れ替えなど日常的な業を行いたいとき、手すり上方の止め金を緩め、上層手すりを上方から下方へ反転させ、手すりの高さを低下させることにより植物の栽培、採摘などの作業を容易にし、安全性確保と利用の便をも満たすものである。
【０００７】
鉄骨建築物から張り出した片持ち梁及び屋上層、底層部位に栽培ユニット、駆動モーター、伝動装置、水槽、鎧戸状手すり、平台ステップ、手すり等の各部材を設置して本発明の鉄骨建築物結合の垂直立体機械回転昇降式植物栽培システムは形成され、一般食用性植物の栽培作業が温室内部や建築物屋上部などの特殊で限られた空間内で行われているという現状の問題を改善できるものである。
【発明を実施するための最良の形態】
【０００８】
本実施例は、出願人の実験建築棟にて実際に施工完成されており、鉄骨建築物外壁に片持ち梁、伝動装置、栽培ユニット、水槽、鎧戸状手すり、平台ステップ、手すり等の各部材から構成される外掛け式の大型植物栽培ユニットである。以下に図を参照して本発明の詳細を説明する。
図１は本発明にかかる鉄骨建築物として結合してなる垂直立体機械回転昇降式植物栽培システムを鉄骨建築物住宅外壁に設置した状態を示す平面図である。以下、
図２（a）、（b）は図１中のＡ‐Ａ断面図、
図３は図1中のＢ‐Ｂ断面図、
図４は固定アンカーと栽培ユニットの相対位置の拡大図、
図５は屋上鎧戸状手すりの立面図、
図６は手すりの立面図、
図７は図２（ｂ）のガイドレールと片持ち梁の結合立体図を示す。
図２から図４及び図７に示すとおり、この施工作業方式は鉄骨建築物の鉄骨構造施工時に事前に各階層の梁部分を外方に延長して適切な長さで張り出した二つ一組とし、その内：屋上層の片持ち梁１と片持ち梁２の間に伝動軸３を装着（図２a、ｂ参照）し、伝動軸３の一端に駆動モーター４を設置すると共に、伝動軸３前方に個別に上部左側スプロケットホイール機構５、上部右側スプロケットホイール機構５‐１、又建築物底層において下部左側スプロケットホイール機構６、下部右側スプロケットホイール機構６‐１を設置し、これをチェーン７を用いて個別に上部左側スプロケットホイール機構５と下部左側スプロケットホイール機構６、また上部右側スプロケットホイール機構５‐１と下部右側スプロケットホイール機構６‐１を連結させて循環式のチェーン連動システムを構成し、さらにこれらの上下チェーン間に毎一定間隔で立体栽培バスケット８を設置する。
チェーン伝動システム起動時、駆動モーター４が伝動軸３を連動させ、同時にスプロケットホイール機構を駆動して、それらの動力により上下チェーン組間に設置した立体栽培バスケットに上下の循環運動を行わせる。
建築物各階層の片持ち梁１、２の腕部位置に個別にガイドレール９を設置してなるが、これは片持ち梁１、２上に予め設けた孔より、直角断面のガイドレール９をネジで固定するもので、前述した上部左側伝動スプロケットホイール機構５と下部左側スプロケットホイール機構６、及び上部右側スプロケットホイール機構５‐１と下部右側スプロケットホイール機構６‐１を連結させたチェーン７をこの中に収容することにより立体植物栽培バスケット８の外部の影響による振動を防ぎ一定方向への軌道運行を可能にする。
また、鉄骨建築物を結合してなる垂直立体機械回転昇降式植物栽培システムの設置される建築物底層部には、固定アンカー12を設置するが、この固定アンカー12は予め製造された剛性部材で、それはネジ11により建築物底層の地面或いは壁面に固定され、前述の下部左側スプロケットホイール機構６と下部右側スプロケットホイール機構６‐１を支持固定する。
建築物底層と前述の立体栽培バスケット８及び下部左側スプロケットホイール機構６、下部右側スプロケットホイール機構６‐１に対応する位置に水槽13を設置し、これにより各立体栽培バスケット８の手動での起動及び停止装置の操作、つまり駆動モーター４を起動させ、スプロケットホイール機構の循環運動により水槽13への一定時間間隔毎の循環浸水により栽培植物に充分な水分及び養分を供給でき、また植物の生長を効率良く促進する。以上の各ユニットを効率良く運行するために日照調節装置及び水分と養分供給のプログラマブルコントロール機構を設けて、このプログラマブルコントロールにより栽培バスケットの運転起動及び停止時間、運転速度、運転と潅水の回数を自動的に制御することが出来、また、手動方式での運転起動及び停止時間、運転速度の操作も選択可能である。
図４から図６の示すとおり、使用者が鉄骨建築物の屋上層及び底層で、立体栽培バスケット８に対する採摘及び栽培作業を安全で容易なものにするため、鉄骨建築物の屋上層及び底層にそれぞれ鎧戸状手すり14を設置し、平台ステップ16、下向き反転式手すり１５等を設置、本実施例に於いては建築物屋上層に鎧戸状手すり14を設置し、また使用上の需要に伴い建築物屋上層の鎧戸状手すり14の内側に平台ステップ16を設置し、この平台ステップ16とは梯子状の平台で使用者が立体植物栽培バスケット８に安全に接近でき、各階層での植物採摘を容易にするものである。
建築物底層に設置される下向き反転式手すり15は上下二層の可動式のもので、平時に於いては安全高度に合成固定収納され、使用者が種蒔き、土の入れ替えなどの習慣性作業を行いたい場合、手すり上方の止め金を緩め、取っ手18を持って操作し、上層手すりを上から下へ180度反転して（図４）、手すりの高さを下げて栽培、採摘作業を容易にし、また安全性確保と作業上の便を図るものであり、作業効率をより向上させる。
植物栽培システムを建築物の梁部分と屋上層及び底層を充分に活用し、栽培ユニット、駆動モーター、伝動装置、鎧戸状手すり、平台ステップ、水槽、手すり等を組み合わせることにより形成される本発明は一般食用性植物の温室内部、または建築物屋上層など特殊で限られた空間、地点という現状の問題を効率良く改善できるものである。
【図面の簡単な説明】
【０００９】
【図１】本発明の鉄骨建築物に結合した垂直立体機械回転昇降式植物栽培システムを鉄骨建築物住宅に設置した状態を示す平面図。
【図２】図１中のＡ‐Ａの断面図。
【図３】図１中のＢ‐Ｂの断面図。
【図４】固定アンカーと栽培ユニットの相対位置の拡大図。
【図５】鎧戸状手すりの立面図。
【図６】手すりの立面図。
【図７】図２（ｂ）のガイドレールと片持ち梁の結合立体図。
【符号の説明】
【００１０】
1．  片持ち梁
2．  片持ち梁
3．  伝動軸
4．  駆動モーター
5．  上部左側スプロケットホイール機構
5-1．上部右側スプロケットホイール機構
6．  下部左側スプロケットホイール機構
6-1．下部右側スプロケットホイール機構
7．  チェーン
8．  立体栽培バスケット
9．  ガイドレール
10．  孔
11．  ネジ
12．  固定アンカー
13．  小プール
14．  鎧戸状手すり
15．  手すり
16．  平台ステップ
17．  止め金
18．  取っ手
【図１】
2005261352.tif 000003
【図２】
2005261352.tif 000004
【図３】
2005261352.tif 000005
【図４】
2005261352.tif 000006
【図５】
2005261352.tif 000007
【図６】
2005261352.tif 000008
【図７】
2005261352.tif 000009